(57)【要約】      （修正有）【課題】継続的にヒップアップ効果を得ることができるガードルを提供する。【解決手段】ベルト２０は、長さ方向の一端がガードル本体１０の後側の股部に逢着されている。このベルト２０の長さ方向の他端側であって、第２面ファスナー１５と対向する面には図示しない第１面ファスナーが逢着されている。このように構成されたガードル１を着て、ベルト２０の他端を引っ張って第１面ファスナーを第２面ファスナーに留めれば、ベルト２０が、お尻を持ち上げるだけでなく骨盤をも持ち上げる。従って、このガードル１を用いると、一時的なヒップアップ効果に加え、お尻周りの筋肉や下半身のたるみを支える筋肉が鍛えられるので、持続的なヒップアップ効果を得ることができる。【選択図】図１
0003105600.tif 000002
【実用新案登録請求の範囲】
【請求項１】
ガードル本体と、
長さ方向の一端が前記ガードル本体後側の両脚内側の各付根部分に逢着された一対のベルトと、
前記ガードル本体後側の両脚内側の各付根部分から左右の各腰部側面を通り腹部にかけて前記ガードル本体に形成された左右の各ベルト挿通部と、
前記ガードル本体の腹部上で、前記各ベルトの長さ方向の他端を留めるベルト留部と
を備えることを特徴とするガードル。
【請求項２】
請求項１記載のガードルにおいて、
前記ベルト留部は、
前記ベルトの長さ方向の他端に設けられた第１面ファスナーと、
この第１面ファスナーと係合可能に形成され、前記ベルトの長さ方向に沿って前記第１面ファスナーとの係合位置を変更可能な大きさに形成された前記ガードル本体の腹部に設けられた第２面ファスナーと、
を備えていることを特徴とするガードル。
【請求項３】
請求項２記載のガードルにおいて、
前記一対のベルトのうち、少なくとも一方のベルトの前記長さ方向の他端側には、他方のベルトの前記第１面ファスナーと係合可能な第３面ファスナーを備えていることを特徴とするガードル。
【請求項４】
請求項１〜３のいずれかに記載のガードルにおいて、
前記各ベルト挿通部は、前記ガードル本体の上に布地を逢着して形成したことを特徴とするガードル。
【考案の詳細な説明】
【技術分野】
【０００１】
本考案は、ガードルに関する。
【背景技術】
【０００２】
ガードル１００は、図３に示すように、腰から大腿部の上部までを包むガードル本体１０１と、ガードル本体１０１の後側の股部から腰部側面を通り腹部にかけてガードル本体に逢着された伸縮性バンド１０２とを備えた婦人用下着である。このガードル１００を着用すると、伸縮性バンド１０２がお尻の下部を上方に持ち上げ、ガードル本体がその持ち上げられたお尻を包んで形を整える。従って、このガードル１００を用いると、お尻がたるみのない美しい形に保たれる、いわゆるヒップアップ効果が発揮される。
【特許文献１】特開平８−６０４０８号公報
【考案の開示】
【考案が解決しようとする課題】
【０００３】
しかし、従来のガードル１００は、伸縮バンド１０２で単にお尻を持ち上げているだけで、お尻のたるみを根本的に矯正することはできないので、ヒップアップ効果が一時的なものであるという問題があった。
【０００４】
そこで本考案では、上述した問題点を解決し、継続的にヒップアップ効果を得ることができるガードルを提供することを目的とする。
【課題を解決するための手段】
【０００５】
ところで、お尻のたるみは、年々歪む骨盤に原因があると思われる。骨盤は、歪むと徐々に横に寝るようになり、股関節の可動スペースが狭くなってしまう。そして股関節の可動スペースが狭くなると、お尻周りの筋肉や下半身のたるみを支える筋肉（大臀筋、中臀筋）が衰えて、この筋肉によって支えられていたお尻がたるんでしまう。そのためお尻のたるみは、この股関節の可動スペースが狭くなったことにあると思われる。
【０００６】
そこで、上述した問題点を解決するためになされた請求項１記載のガードルは、ガードル本体と、長さ方向の一端が前記ガードル本体後側の両脚内側の各付根部分に逢着された一対のベルトと、前記ガードル本体後側の両脚内側の各付根部分から左右の各腰部側面を通り腹部にかけて前記ガードル本体に形成された左右の各ベルト挿通部と、前記ガードル本体の腹部上で、前記各ベルトの長さ方向の他端を留めるベルト留部とを備えている。
【０００７】
このガードルは、ガードル本体の後側から前側に向かって左右の各ベルト挿通孔に各ベルトを挿通し、ベルト留部によりガードル本体の腹部上で各ベルトの長さ方向の他端を留めて使用する。
【０００８】
このガードルを用いると、ベルトの他端を引っ張ってベルト留部に留めることで、お尻の後側が持ち上げられるので、一時的なヒップアップ効果が得られる。
また、このガードルを用いると、ベルトの一端がガードル本体後側の両脚内側の各付根部分に逢着されているので、ベルトの他端が引っ張られると骨盤が左右に引っ張られて股関節が広げられる。さらに、このガードルでは、ベルトがベルト挿通部に通されることでベルトのずれが防止されるので、股関節が持続的に広げられる。このように股関節が広げられると、股関節の可動スペースが広がって前足荷重となり、しかもその状態が持続するので、お尻周りの筋肉や下半身のたるみを支える筋肉（大臀筋、中臀筋）が鍛えられる。
【０００９】
従って、本考案のガードルを用いると、一時的なヒップアップ効果に加え、お尻周りの筋肉や下半身のたるみを支える筋肉が鍛えられるので、持続的なヒップアップ効果を得ることができる。また、お尻周りの筋肉や下半身のたるみを支える筋肉が鍛えられることにより、スリムな下半身を作り出すこともできる。
【００１０】
請求項２に記載したガードルは、ベルト留部が、ベルトの長さ方向の他端に設けられた第１面ファスナーと、第１面ファスナーと係合可能に形成されガードル本体の腹部に設けられた第２面ファスナーとを備えており、第２面ファスナーが、ベルトの長さ方向に沿って第１面ファスナーとの係合位置を変更可能な大きさに形成されている。このガードルは、ベルトのその長さ方向に沿って、ベルトを第２面ファスナーに留める位置を変えることができるので、ガードルを使用する人の体型等の事情に合わせて、骨盤の持ち上げ具合を調整することができる。
【００１１】
尚、請求項３に記載したガードルのように、一対のベルトのうち、少なくとも一方のベルトの長さ方向の他端側には、他方のベルトの第１面ファスナーと係合可能な第３面ファスナーを備えていることが好ましい。このように構成すると、第２面ファスナーは第３面ファスナーとも係合できるので、より幅広く骨盤の持ち上げ具合を調整することができる。また、請求項４に記載したガードルのように、各ベルト挿通部は、ガードル本体の上に布地を逢着して形成することが好ましい。このように構成すると、布地を逢着するだけでベルト挿通部を形成できるので構造が簡単になり、本考案のガードルを低コストで製造できる。
【考案を実施するための最良の形態】
【００１２】
以下、本考案を実施するための最良の形態について図面を用いて説明する。
図１は本実施形態のガードルの正面図、図２はガードルの背面図である。
本実施形態のガードル１は、図１，２に示すように、ガードル本体１０と、一対のベルト２０と、ベルト挿通布３０とを備えている。
【００１３】
ガードル本体１０は、腹部から股部までを覆う中央布１１の左右両側に左右の身頃１２，１３が逢着され（図１参照）、これら左右の身頃１２，１３は背面側で互いに逢着されている（図２参照）。また左右の各身頃１２，１３の下部は、大腿部の上部を覆う形状に形成されている。そしてこのガードル本体１０を構成する中央布１１、左右の身頃１２，１３は、伸縮性に富む素材（例えば、ポリウレタン繊維で構成されたパワーネット（通称）、横伸びに対して縦伸びし難い素材（本実施形態では、同じ力をかけたとき、横伸び１に対して縦伸び０．５の素材を使用している））で構成されている
また、このガードル本体１０の中央布１１のうち腹部に宛がわれる部分の表面には第２面ファスナー１５（図１中の斜線を施した部分）が逢着されている。第２面ファスナー１５は、ベルト２０の長さ方向に沿って後述する第１面ファスナーとの係合位置を変更可能な大きさに形成されている。
【００１４】
ベルト２０は、長さ方向の一端がガードル本体１０後側の両脚内側の各付根部分（図２中のＡの符号で示した部分）に逢着された、ポリウレタン製のベルトである。このベルト２０の長さ方向の他端側であって、第２面ファスナー１５と対向する面には図示しない第１面ファスナーが逢着され、一方のベルト２０の第１面ファスナーが取り付けられた側の裏側には、第３面ファスナー２３が逢着され、他方のベルト２０には模様がデザインされた布２４が逢着されている。
【００１５】
ベルト挿通布３０は、各ベルト２０を挿通可能な一対のベルト挿通孔が形成されるよう、ガードル本体１０の後側の股部から腰部側面を通り腹部にかけてガードル本体１０に逢着されている。
【００１６】
このように構成されたガードル１を用いると、ベルト２０の他端を引っ張ってベルト２０の他端を第２面ファスナー１５に留めることで、お尻の後側が持ち上げられるので、一時的なヒップアップ効果が得られる。
【００１７】
また、このガードル１を用いると、ベルト２０の一端がガードル本体１０後側の両脚内側の各付根部分に逢着されているので、ベルト２０の他端が引っ張られると骨盤が左右に引っ張られて股関節が広げられる。さらに、このガードル１では、ベルト２０がベルト挿通布３０が形成するベルト挿通孔に通されることでベルト２０のずれが防止されるので、股関節が持続的に広げられる。このように股関節が広げられると、股関節の可動スペースが広がって前足荷重となり、しかもその状態が持続するので、お尻周りの筋肉や下半身のたるみを支える筋肉（大臀筋、中臀筋）が鍛えられる。
【００１８】
従って、本実施形態のガードル１を用いると、一時的なヒップアップ効果に加え、お尻周りの筋肉や下半身のたるみを支える筋肉が鍛えられるので、持続的なヒップアップ効果を得ることができる。また、お尻周りの筋肉や下半身のたるみを支える筋肉が鍛えられることにより、スリムな下半身を作り出すこともできる。
【００１９】
また、第１及び第２面ファスナー１５を用いてベルトを無段回に変えることができるよう構成され、さらに一方のベルトが第３面ファスナー２３を備え、この第３面ファスナー２３を用いて、第２面ファスナーを第３面ファスナーに係合させることができるので、履く人の体型等に合わせて、より幅広く骨盤の持ち上げ具合を調整することができる。
【００２０】
尚、第１面ファスナー、第２面ファスナー１５、第３面ファスナー２３は、本件考案のベルト留部に相当する。ベルト挿通布３０が形成するベルト挿通孔は、本考案のベルト挿通部に相当する。
【００２１】
以上本考案の一実施形態ついて説明したが、本考案はこの実施形態に何等限定されるものではなく、本考案の要旨を逸脱しない範囲において、種々なる態様で実施し得ることは勿論である。
【００２２】
例えば、上記実施形態では第１第２面ファスナーを用いてベルト２０を留めたが、面ファスナー以外でもよいことはもちろんである。
ベルト２０の素材は、ナイロンでもよい。
【図面の簡単な説明】
【００２３】
【図１】本実施形態のガードルの正面図である。
【図２】本実施形態のガードルの背面図である。
【図３】従来のガードルの説明図で、（ａ）は正面図、（ｂ）は背面図である。
【符号の説明】
【００２４】
１…ガードル、１０…ガードル本体、１１…中央布、１２…右身頃、１３…左身頃、１５…第２面ファスナー、２０…ベルト、２３…第３面ファスナー、３０…ベルト挿通布、
【図１】
0003105600.tif 000003
【図２】
0003105600.tif 000004
【図３】
0003105600.tif 000005